(57)【要約】      （修正有）【課題】使用上の利便性、快適性、耐用性、低廉なコストを達成した筋肉もみほぐし電動マッサージ器を提供する。【解決手段】筋肉もみほぐし電動マッサージ器は本体装置ともみほぐしマッサージヘッド装置を含む。グリップは該本体の上部に設置し、該もみほぐしマッサージヘッド装置は該本体の下部位置に設置する。該グリップ、及び該グリップ上に嵌設する電源コンセントとスイッチにより、モーターはギアユニットの伝動装置を連動し、ギアユニットは異なる方向の回転を生じる。該ローラーユニットはそのローラーの特殊な位置対応と交換可能な様々な形状のマッサージヘッドにより、作動時に、身体各部位の筋肉に対してもみほぐし作用を生じる。これにより筋肉を弾力性を具え、美しく整え、身体筋肉の健康的で美しい弾力性を維持、及び鍛錬することができる。【選択図】図２
0003144617.tif 000002
【実用新案登録請求の範囲】
【請求項１】
本体装置、もみほぐしマッサージヘッド装置、モーター電源装置、伝動装置を具え、
該本体装置の上部にはグリップを設置し、
該もみほぐしマッサージヘッド装置は該本体装置の下部位置に設置し、数個のシリコンゴムマッサージヘッドと数個のローラー、及び数個のアクシアルボールベアリングを含み、該モーター電源装置は該本体装置の内部位置に設置し、モーター、モーター蓋、モーター台、定位ワッシャ、スイッチ、電源コンセントを具え、
該伝動装置は数個の大小ギアと数個の軸心及び定位板を組合せ構成し、該本体の内部位置に設置し、しかも該数個のローラーは相互に対置状を形成することを特徴とする筋肉もみほぐし電動マッサージ器。
【請求項２】
請求項１記載の筋肉もみほぐし電動マッサージ器において、前記本体上部位置のグリップは、該本体上において具える湾曲弧状の逆フックを設置し、該底台及び該マッサージヘッド装置と相互に組合せ一体を組成することを特徴とする筋肉もみほぐし電動マッサージ器。
【請求項３】
請求項１記載の筋肉もみほぐし電動マッサージ器において、前記もみほぐしマッサージヘッド装置は該本体の下部位置に設置し、数個の軟性材質のシリコンゴムマッサージヘッドと数個のローラー及び数個のアクシアルボールベアリングを含み組合せ構成することを特徴とする筋肉もみほぐし電動マッサージ器。
【請求項４】
請求項３記載の筋肉もみほぐし電動マッサージ器において、前記シリコンゴムマッサージヘッドは軟性のシリコンゴム材質で、数種の円径顆粒状を含み、異なる外形のシリコンゴムマッサージヘッドに交換可能であることを特徴とする筋肉もみほぐし電動マッサージ器。
【請求項５】
請求項３記載の筋肉もみほぐし電動マッサージ器において、前記数個のシリコンゴムマッサージヘッド内部は円柱型と十字型凹溝とその数個のローラー端部の円柱型と十字型の挿入組合せ形態で、
その数個のローラー端部の円柱型と十字型の位置はローラーの中心ではなく、偏心状態であることを特徴とする筋肉もみほぐし電動マッサージ器。
【請求項６】
請求項５記載の筋肉もみほぐし電動マッサージ器において、前記数個のシリコンゴムマッサージヘッドは上下及び左右の異なる方向のもみほぐし効果を生じることを特徴とする筋肉もみほぐし電動マッサージ器。
【請求項７】
請求項３記載の筋肉もみほぐし電動マッサージ器において、前記数個のローラーの底部には数個のアクシアルボールベアリングを具え、該底台の端部と組合せ組成されることを特徴とする筋肉もみほぐし電動マッサージ器。
【考案の詳細な説明】
【技術分野】
【０００１】
本考案は筋肉もみほぐし電動マッサージ器に関する。特にそれはもみほぐしのシリコンゴムマッサージヘッドとローラーユニット構造体と本体装置で、特殊な組合せ構造により、使用中に筋肉に対して自然にもみほぐし作用を生じ、良好な実用性機能を達成することができる筋肉もみほぐし電動マッサージ器に係る。
【背景技術】
【０００２】
現在使用されているマッサージ器具の構造は主に、電動マッサージ突起を持続的に振動させ、身体の各部位に対して、いわゆる軽く叩くような作動を行うもので、その目的は筋肉のコリをほぐし、使用者に快適感を提供することである。
該各電動マッサージ突起構造は、構造が複雑でコストが高い。また、大きさが様々な各種設計、或いはある特定の身体部位に対する特殊設計はあるが、基本的な電動機構設備は、使用上及び操作上なお多くの不便がある。
もし、電動でないマッサージ器具を使用するなら、エネルギーコストの問題を解消することはできるが、使用により使用者がより一層疲れてしまう。
【０００３】
さらに、該各マッサージ器は身体の筋肉に対して鍛錬の効果が全くない。
筋肉の鍛錬には筋肉を伸ばし、及び収縮させる動作が必要である。例えば、ある部位の筋肉訓練のために設計されたアスレチック器具では、使用時に、該部位の筋肉は持続的に伸縮動作を行い、こうして筋肉は弾力性を増すと同時に壮健となる。
しかし、現在使用されているマッサージ器には、筋肉鍛錬の機能はない。アスレチック器具とマッサージチェアは共にコストと体積が大きいため、その機能、エネルギーコスト、利便性、製造コスト等に対して、さらなる改善を加えるべきである。
【考案の開示】
【考案が解決しようとする課題】
【０００４】
本考案の主な目的は、もみほぐし機能をそなえるシリコンゴムマッサージヘッドとローラーユニット構造及び本体装置を具え、該ローラーユニット上のシリコンゴムマッサージヘッドが作動すると、ローラーユニット上のシリコンゴムマッサージヘッドのそれぞれ異なる回転方向と偏心回転により、使用部位の筋肉に対して伸縮の鍛錬作用を生じ、筋肉はもみほぐされ、圧迫され、こうして該器具の使用上の性能を向上させることができ、また様々な大きさ、タイプのマッサージ器具を購入する必要がなくなるため、使用コストを低下させ、機能と効果を向上させる実用性を具える。
【０００５】
本考案の次の目的は、グリップを設置することで、使用者は軽易に握り持ち、該器具の使用を制御することができ、これにより身体の様々な部位に対して効果的な運用を行うことができ、使用上の利便性を達成することができる筋肉もみほぐし電動マッサージ器を提供することである。
【課題を解決するための手段】
【０００６】
請求項１の考案は、本体装置、もみほぐしマッサージヘッド装置、モーター電源装置、伝動装置を具え、
該本体装置の上部にはグリップを設置し、
該もみほぐしマッサージヘッド装置は該本体装置の下部位置に設置し、数個のシリコンゴムマッサージヘッドと数個のローラー、及び数個のアクシアルボールベアリングを含み、該モーター電源装置は該本体装置の内部位置に設置し、モーター、モーター蓋、モーター台、定位ワッシャ、スイッチ、電源コンセントを具え、
該伝動装置は数個の大小ギアと数個の軸心及び定位板を組合せ構成し、該本体の内部位置に設置し、しかも該数個のローラーは相互に対置状を形成することを特徴とする筋肉もみほぐし電動マッサージ器としている。
請求項２の考案は、請求項１記載の筋肉もみほぐし電動マッサージ器において、前記本体上部位置のグリップは、該本体上において具える湾曲弧状の逆フックを設置し、該底台及び該マッサージヘッド装置と相互に組合せ一体を組成することを特徴とする筋肉もみほぐし電動マッサージ器としている。
請求項３の考案は、請求項１記載の筋肉もみほぐし電動マッサージ器において、前記もみほぐしマッサージヘッド装置は該本体の下部位置に設置し、数個の軟性材質のシリコンゴムマッサージヘッドと数個のローラー及び数個のアクシアルボールベアリングを含み組合せ構成することを特徴とする筋肉もみほぐし電動マッサージ器としている。
請求項４の考案は、請求項３記載の筋肉もみほぐし電動マッサージ器において、前記シリコンゴムマッサージヘッドは軟性のシリコンゴム材質で、数種の円径顆粒状を含み、異なる外形のシリコンゴムマッサージヘッドに交換可能であることを特徴とする筋肉もみほぐし電動マッサージ器としている。
請求項５の考案は、請求項３記載の筋肉もみほぐし電動マッサージ器において、前記数個のシリコンゴムマッサージヘッド内部は円柱型と十字型凹溝とその数個のローラー端部の円柱型と十字型の挿入組合せ形態で、
その数個のローラー端部の円柱型と十字型の位置はローラーの中心ではなく、偏心状態であることを特徴とする筋肉もみほぐし電動マッサージ器としている。
請求項６の考案は、請求項５記載の筋肉もみほぐし電動マッサージ器において、前記数個のシリコンゴムマッサージヘッドは上下及び左右の異なる方向のもみほぐし効果を生じることを特徴とする筋肉もみほぐし電動マッサージ器としている。
請求項７の考案は、請求項３記載の筋肉もみほぐし電動マッサージ器において、前記数個のローラーの底部には数個のアクシアルボールベアリングを具え、該底台の端部と組合せ組成されることを特徴とする筋肉もみほぐし電動マッサージ器としている。
【考案の効果】
【０００７】
本考案は筋肉もみほぐし電動マッサージ器を提供する。筋肉もみほぐし電動マッサージ器は、公知のマッサージ器具が使用上の機能に限界がある等の問題に対して、コストが低く、使用が便利で、筋肉を鍛錬することができる構造を提供し、使用者の該各器具に対する機能上のニーズに応え、良好な実用性を達成することができる。
【考案を実施するための最良の形態】
【０００８】
本考案具体的実施例の分解立体図である図１に示すように、本考案の筋肉もみほぐし電動マッサージ器は本体装置１、もみほぐしマッサージヘッド装置２、モーター電源装置３、伝動装置４を具える。
該本体装置１の上部にはグリップ１１を設置し、該グリップ１１端部上には上蓋１２を嵌設する。その内部にはスイッチ３５と電源コンセント３６及びスイッチ蓋１３を具え、使用者は該グリップ１１により、該筋肉もみほぐし電動マッサージ器を簡単に操作可能で、身体の各部位に対してもみほぐし使用を行うことができる。
【０００９】
該グリップ１１の内部にはモーター３１、モーター蓋３２、モーター台３３、定位ワッシャ３４を具え、ネジにより該グリップ１１の内部に固定し、電源導線により電源コンセント３６とスイッチ３５及びモーター３１を相互に接続する。
並びに、該モーター３１一端のウォームギア４１の回転を利用し、ウォームギア変速装置４２中の小ギア４２１、軸心４２２、含油ベアリング４２３、小ギア４２４を連動する。
さらに、ギア転向装置４３中の大小ギア４３１、軸心４３２、ギア軸心定位板４３３、軸心４３４、小ギア４３５、大ギア４３６の相互に接続する相関位置を経由し、該大ギア４３６上に接続するもみほぐしマッサージヘッド装置２中のアクシアルボールベアリング２２、ローラー２１、シリコンゴムマッサージヘッド２３は、偏心回転相互対置状を呈し、筋肉に対してもみほぐし作用を達成する。
【００１０】
本考案もみほぐし電動マッサージ器のギアユニット回転方向の概略図である図４に示すように、該本体装置１の下部には該シリコンゴムマッサージヘッド２３を嵌設するローラー２１を設置する。
図１に示すように、それはその端部が数個の弧状の凹凸顆粒状であるシリコンゴムマッサージヘッド２３を含む多くのシリコンゴムマッサージヘッド２４、２５、２６を具える。これらは交換し使用することができ、軟性のシリコンゴム材質は筋肉に接触すると快適さを達成することができる。内部には円柱型と十字型溝を具えるローラー２１を具え、定位に便利で、しかも該シリコンゴムマッサージヘッド２３を自身で回転させることはない。
本考案もみほぐし電動マッサージ器の組合せ断面図である図３に示すように、使用者は該グリップ１１を握る時、便利で安定的に該本体装置１を操作することができ、これにより該シリコンゴムマッサージヘッド２３は特殊なもみほぐしマッサージ効果を生じる。
【００１１】
本考案具体的実施例の組合せ立体図である図２に示すように、該グリップ１１上には湾曲弧状の逆フックを設置し、該底台１４及び該マッサージヘッド装置２と相互に組合せ一体を組成する。該グリップ１１が下方へと押されると、数個のシリコンゴムマッサージヘッド２３は身体と接触後、偏心の回転運動を生じる（図４中の矢印参照）。
この時、モーター３１は該ウォームギア４１の回転により該ウォームギア変速装置４２を連動し、さらにギア転向装置４３の転動により、もみほぐしマッサージヘッド装置２を連動する。こうして接触する部位の筋肉は、該シリコンゴムマッサージヘッド２３に沿って外からうちへともまれ圧迫される（図５中の外から内への矢印参照）。
【００１２】
該ローラー２１ユニットの回転相対位置が図５-１である時、右側の上下２個のシリコンゴムマッサージヘッド２３は、筋肉を上下にきつく挟む動作を行う。相対位置が図５-２である時、４個のシリコンゴムマッサージヘッド２３は、筋肉をゆるめる動作を行う。相対位置が図５-３である時、左側の上下２個のシリコンゴムマッサージヘッド２３は、筋肉を上下にきつく挟む動作を行う。相対位置が図５-４である時、上下４個のシリコンゴムマッサージヘッド２３は、筋肉を左右にきつく挟む動作を行う。
上記のように４個のシリコンゴムマッサージヘッド２３の偏心回転相対位置に循環作動を対応させることで、接触部位の筋肉は上下及び左右方向に循環的にもみほぐされる。このような筋肉に対する圧迫とゆるめ動作は筋肉を鍛錬する効果を具え、筋肉は徐々に弾力性を増して行く。長期間使用すれば、筋肉の形が美しく整う作用を生じる。
よって、該シリコンゴムマッサージヘッド２３の回転圧迫作動は、もともとのマッサージ効果を保有するばかりか、特殊軟質のシリコンゴムマッサージヘッド２３の作動により、筋肉に対する鍛錬機能をも具え、該器具の実用的価値を向上させることができる。
【００１３】
該グリップ１１下部前端のシリコンゴムマッサージヘッド２３により、接触部位の筋肉は該ローラー２１ユニットに従い外から内への回転伸縮を施される。該底台１４内部頂端位置のアクシアルボールベアリング２２は該ローラー２１底部に接触し、パーツ相互間回転時摩擦の損耗を低下させることができる。よって、押圧作動中において、筋肉に対して十分にもみほぐし作動を行うことができる。同時に、シリコンゴムマッサージヘッド２３、２４、２５、２６が軟性材質で、その端部は数個の弧状の凹凸形状であるため、もみほぐし作動中においてマッサージ作用を具える。
すなわち、製造コストが低廉で、しかも利便性を具え、さらに快適にマッサージ作用を達成することができ、使用者はいつでもどこでもマッサージの効果を受けることができる。よって本考案構造は該類器具の実用機能を確実に増進することができる。
【図面の簡単な説明】
【００１４】
【図１】本考案具体的実施例の分解立体図である。
【図２】本考案具体的実施例の組合せ立体図である。
【図３】本考案もみほぐし電動マッサージ器の組合せ断面図である。
【図４】本考案もみほぐし電動マッサージ器のギアユニット回転方向の概略図である。
【図５】本考案もみほぐし電動マッサージ器のもみほぐしマッサージヘッドの回転方向の概略図である。
【符号の説明】
【００１５】
１  本体装置
１１  グリップ
１２  上蓋
１３  スイッチ蓋
１４  底台
２  もみほぐしマッサージヘッド装置
２１  ローラー
２２  アクシアルボールベアリング
２３  シリコンゴムマッサージヘッド
２４  シリコンゴムマッサージヘッド
２５  シリコンゴムマッサージヘッド
２６  シリコンゴムマッサージヘッド
３  モーター電源装置
３１  モーター
３２  モーター蓋
３３  モーター台
３４  定位ワッシャ
３５  スイッチ
３６  電源コンセント
４  伝動装置
４１  ウォームギア
４２  ウォームギア変速装置
４２１  小ギア
４２２  軸心
４２３  含油ベアリング
４２４  小ギア
４３  ギア転向装置
４３１  大小ギア
４３２  軸心
４３３  ギア軸心定位板
４３４  軸心
４３５  小ギア
４３６  大ギア
【図１】
0003144617.tif 000003
【図２】
0003144617.tif 000004
【図３】
0003144617.tif 000005
【図４】
0003144617.tif 000006
【図５】
0003144617.tif 000007